(57)【要約】【課題】全周にわたって雄雌のハウジングの嵌合方向のがたつきを無くす。【解決手段】雌ハウジング３０の取付部６５に、両ハウジング１０，３０の嵌合方向と交差する方向にブラケット６０の挿通路６６が設けられ、雄ハウジング１０に挿通路６６を横切る検知部７８が設けられて別のロック手段８０が形成される。ロックアーム４３によるロックが掛かると、シールリング５５のフランジ５８の復元弾力で両ハウジング１０，３０が離反しつつロックアーム４３と係止部２３とが密着される。ここで、検知部７８が挿通路６６を完全に横切った状態でブラケット６０が挿通され、検知部７８の後面に係止すると、下面側における両ハウジング１０，３０の嵌合端面２０，４０同士の間隔が、上面側のそれとほぼ等しい状態に保持される。フランジ５８の弾縮量がほぼ均一となって、両ハウジング１０，３０の嵌合方向に沿ったがたつきが全周にわたって阻止される。【選択図】　図１８
2004014426.tif 000002
【特許請求の範囲】
【請求項１】
それぞれに端子金具が装着された一対のハウジングのうちのいずれか一方には、ロックアームが弾性的な傾動可能に設けられ、両ハウジングはロックアームを傾動させつつ嵌合されて、所定量嵌合すると前記ロックアームが復動して他方のハウジングに設けられた係止部に係止するとともに、前記両ハウジングの嵌合周面の間にはシールリングが装着されて、このシールリングの外周には、前記両ハウジングが所定量嵌合された場合に、両ハウジングの嵌合方向の対向面の間で挟持可能なフランジが張り出し形成され、このフランジの復元弾力により前記両ハウジングを離反させつつ前記ロックアームと係止部とを密着させるようにしたコネクタにおいて、
前記ロックアームを設けた側とは周方向の反対側の位置には、前記ロックアームと係止部とが密着するまで両ハウジングが離反した状態において、前記反対側の位置における両ハウジングの嵌合端面同士の間隔を、前記ロックアームを設けた側の前記嵌合端面同士の間隔にほぼ等しい状態に保持して両ハウジング間をロック可能な別のロック手段が設けられていることを特徴とするコネクタ。
【請求項２】
いずれか一方のハウジングにおける前記ロックアームを設けた側とは周方向の反対側の外面には、相手部材に取り付けるためのブラケットを両ハウジングの嵌合方向と交差する方向に挿通可能な挿通路が設けられるとともに、他方のハウジングには、前記両ハウジングの嵌合に伴い前記挿通路を横切って移動可能な検知部が設けられることで前記別のロック手段が形成されており、前記ロックアームと係止部とが密着するまで両ハウジングが離反した状態において、前記挿通路を設けた側における両ハウジングの嵌合端面同士の間隔が、前記ロックアームを設けた側の前記嵌合端面同士の間隔にほぼ等しくなって初めて、前記検知部が前記挿通路を横切って通過するように設定され、この挿通路に挿通されたブラケットが前記検知部の移動方向の後面に抜け止め状に係止する構成となっていることを特徴とする請求項１記載のコネクタ。
【請求項３】
前記検知部と前記ブラケットとの間には、前記検知部が前記挿通路を通過する手前に留まっていた場合に、前記ブラケットの挿入に伴い前記検知部を通過位置まで移動させるカム手段が形成されていることを特徴とする請求項２記載のコネクタ。
【発明の詳細な説明】
【０００１】
【発明の属する技術分野】
本発明は、端子金具間の微摺動摩耗を防ぐ手段を講じたコネクタに関する。
【０００２】
【従来の技術】
コネクタの一般的な構造は、それぞれに端子金具が装着された雌雄一対のハウジングを備え、そのうちの一方に、被係止部を有するロックアームが弾性的な傾動可能に設けられており、このロックアームを傾動させつつ両ハウジングが嵌合され、雌雄の端子金具同士が正規に接続される所定量嵌合されると、ロックアームが復動してその被係止部が相手のハウジングに設けられた係止部に係止され、これにより嵌合状態に保持されるようになっている。
【０００３】
ところで上記のように、ロック機構として傾動するロックアームを備えたものでは、相手の係止部に乗り降りすべくその傾動を許容するためには、ロックアームの被係止部と相手の係止部との間にある程度のクリアランスを設定せざるを得ない。そうすると、外部から振動等を受けやすい箇所に設置された場合には両ハウジングが嵌合方向にがたついて、雌雄の端子金具の接点部同士が微摺動を繰り返し、接点部が次第に摩耗して接触圧が低下する等の弊害を生むという問題がある。
【０００４】
そこで従来、上記のような端子金具間の微摺動摩耗を防ぐべく雌雄のハウジング間でのがたつきを無くす手段として、図２０に示すものが提案されている。これは、雌ハウジング１の端子収容部２の外周と、雄ハウジング３のフード部４の内周との間に装着された防水用のシールリング５を利用している。より具体的には、シールリング５の後端外周にフランジ５Ａを設けて、フード部４の先端と、それと対向した雌ハウジング１の突当壁６の間に臨ませ、両ハウジング１，３の嵌合の終盤では、シールリング５のフランジ５Ａをフード部４と突当壁６との間で弾縮するようにし、その復元弾力により両ハウジング１，３を離反する方向に付勢して、ロックアーム７の被係止部７Ａに係止部８を密着させ、もって雌雄のハウジング１，３の嵌合方向のがたつきを無くすことを意図している。
なお、この種の対策を講じたコネクタは、実用新案登録第２５４２６３９号に開示されている。
【０００５】
【発明が解決しようとする課題】
しかるに上記のようなコネクタでは、両ハウジング１，３がフランジ５Ａの復元弾力で離反した場合に、ロックアーム７を設けた上面側では係止部８と密着してそれ以上の離反が規制されるが、下面側ではそのような規制がないことから、図２０の矢線ｘに示すように、下面側が開いたような状態となる場合があり得る（上面側の隙間Ｓ１＜下面側の隙間Ｓ２）。言い換えると、下面側ではフランジ５Ａが弾縮されないか、されても僅かに限られた状態となり、したがって下面側では両ハウジング１，３が嵌合方向にがたつく余地が残る。その結果、特に下段側の雌雄の端子金具ｆ，ｍの間では依然として微摺動摩耗が生じるおそれがあった。
本発明は上記のような事情に基づいて完成されたものであって、その目的は、周方向の広い領域にわたって雄雌のハウジングの嵌合方向のがたつきを無くすところにある。
【０００６】
【課題を解決するための手段】
上記の目的を達成するための手段として、請求項１の発明は、それぞれに端子金具が装着された一対のハウジングのうちのいずれか一方には、ロックアームが弾性的な傾動可能に設けられ、両ハウジングはロックアームを傾動させつつ嵌合されて、所定量嵌合すると前記ロックアームが復動して他方のハウジングに設けられた係止部に係止するとともに、前記両ハウジングの嵌合周面の間にはシールリングが装着されて、このシールリングの外周には、前記両ハウジングが所定量嵌合された場合に、両ハウジングの嵌合方向の対向面の間で挟持可能なフランジが張り出し形成され、このフランジの復元弾力により前記両ハウジングを離反させつつ前記ロックアームと係止部とを密着させるようにしたコネクタにおいて、前記ロックアームを設けた側とは周方向の反対側の位置には、前記ロックアームと係止部とが密着するまで両ハウジングが離反した状態において、前記反対側の位置における両ハウジングの嵌合端面同士の間隔を、前記ロックアームを設けた側の前記嵌合端面同士の間隔にほぼ等しい状態に保持して両ハウジング間をロック可能な別のロック手段が設けられている構成としたところに特徴を有する。
【０００７】
請求項２の発明は、請求項１に記載のものにおいて、いずれか一方のハウジングにおける前記ロックアームを設けた側とは周方向の反対側の外面には、相手部材に取り付けるためのブラケットを両ハウジングの嵌合方向と交差する方向に挿通可能な挿通路が設けられるとともに、他方のハウジングには、前記両ハウジングの嵌合に伴い前記挿通路を横切って移動可能な検知部が設けられることで前記別のロック手段が形成されており、前記ロックアームと係止部とが密着するまで両ハウジングが離反した状態において、前記挿通路を設けた側における両ハウジングの嵌合端面同士の間隔が、前記ロックアームを設けた側の前記嵌合端面同士の間隔にほぼ等しくなって初めて、前記検知部が前記挿通路を横切って通過するように設定され、この挿通路に挿通されたブラケットが前記検知部の移動方向の後面に抜け止め状に係止する構成となっているところに特徴を有する。
請求項３の発明は、請求項２に記載のものにおいて、前記検知部と前記ブラケットとの間には、前記検知部が前記挿通路を通過する手前に留まっていた場合に、前記ブラケットの挿入に伴い前記検知部を通過位置まで移動させるカム手段が形成されているところに特徴を有する。
【０００８】
【発明の作用及び効果】
＜請求項１の発明＞
一対のハウジングが嵌合されてロックアームによりロックされたら、シールリングのフランジの復元弾力を受けて両ハウジングが離反しつつロックアームと係止部とが密着される。引き続いて、ロックアームを設けた側と周方向の反対側の位置で別のロック手段により両ハウジング間をロックすると、両ハウジングは、嵌合端面同士の間隔が周方向の広範囲にわたってほぼ等しくなる嵌合状態に保持される。言い換えると、フランジが周方向の広範囲にわたってほぼ均一の弾縮量で挟圧された状態に保持されるから、両ハウジングの嵌合方向に沿ったがたつきが全周にわたって阻止され、全端子金具の対について微摺動摩耗が生じることが防止される。
【０００９】
＜請求項２の発明＞
ロックアームによるロックが掛かり、フランジの復元弾力で両ハウジングが離反しつつロックアームと係止部とが密着された状態において、ロックアームが設けられた側と周方向の反対側で両ハウジングの嵌合端面間が開いていると、検知部が挿通路を横切って完全に通過することなくその途中に留まる。この状態では、挿通路にブラケットを挿通した場合に、検知部に当たってそれ以上の挿通が規制され、これを以てロックアームが設けられた側と反対側で開いていることが検知される。
そうしたら、ロックアームが設けられた側と反対側をさらに嵌合すると、検知部が挿通路を完全に横切って通過するから、ブラケットが挿通路に挿通でき、検知部の後面に係止することで抜け止めされる。これにより両ハウジングは、嵌合端面同士の間隔が周方向の広範囲にわたってほぼ等しい嵌合状態に保持され、フランジの弾縮量がほぼ均一となることで、両ハウジングの嵌合方向に沿ったがたつきを全周にわたって阻止することができる。
【００１０】
＜請求項３の発明＞
ロックアームが設けられた側と反対側で両ハウジングの嵌合端面間が開いていると、検知部が挿通路を通過することなく手前に留まる。この状態で挿通路にブラケットが挿通されると、検知部との間のカム手段を介して検知部が強制的に挿通路を通過する位置まで移動させられ、それに伴って両ハウジングが互いに引き寄せられる。
反対側で両ハウジングの嵌合端面間が開いていた場合に、それが自動的に補正されて保持される。
【００１１】
【発明の実施の形態】
以下、本発明の実施形態を添付図面に基づいて説明する。
＜第１実施形態＞
本発明の第１実施形態を図１ないし図１８によって説明する。
この実施形態のコネクタはハイブリッド形式の防水コネクタであって、図１に示すように、互いに嵌合可能な雄ハウジング１０と、雌ハウジング３０とを備えている。以下では、それぞれのハウジング１０，３０において、嵌合端側を前方として説明する。
【００１２】
雄ハウジング１０は、図２ないし図４にも示すように、端子収容部１１と、この端子収容部１１の前半部分の回りからその前方を覆うやや横長の小フード部１２とを設けた形状であって、端子収容部１１内には、その上段側に図示４個の小キャビティ１３Ｓが、下段側に図示２個の大キャビティ１３Ｌがそれぞれ横に並んで形成されている。
小キャビティ１３Ｓと大キャビティ１３Ｌとには、それぞれ小型の雄端子１４Ｓと大型の雄端子１４Ｌとがそれぞれ後方から挿入され、ランス１５により一次係止されるとともに、各キャビティ１３Ｓ，１３Ｌの入口が防水ゴム栓１６により塞がれるようになっている。
【００１３】
端子収容部１１の前面には前壁を兼ねたフロント形式のリテーナ１８が装着され、図１に示すように、両雄端子１４Ｓ，１４Ｌは、それぞれのタブをリテーナ１８の表面から小フード部１２内に突出させた状態で二重係止されて収容されている。このリテーナ１８の表面が、雄ハウジング１０側の嵌合端面２０となる。嵌合端面２０には、小フード部１２内を左右に仕切るようにしてガイド板２１が突設されている。
小フード部１２の上面には、幅方向の中央において、前後方向を向いた一対のガイド壁２２が形成され、両ガイド壁２２の間の前端に寄った位置に係止部２３が突設されている。係止部２３の前面はテーパ状のガイド面２４とされ、後面がほぼ直角に切り立った係止面２５とされている。
【００１４】
次に、雌ハウジング３０側を説明する。雌ハウジング３０は、図５ないし図８にも示すように、上記した雄ハウジング１０の小フード部１２の内周に所定のクリアランスを持って嵌合される端子収容部３１を有し、この端子収容部３１の前半部分の回りからその少し前方にわたって、小フード部１２の外側にほぼ緊密に嵌合される大フード部３２が形成されている。
端子収容部３１内には、同じように上段側に図示４個の小キャビティ３３Ｓが、下段側に図示２個の大キャビティ３３Ｌがそれぞれ横に並んで形成されており、小キャビティ３３Ｓと大キャビティ３３Ｌとには、それぞれ小型の雌端子３４Ｓと大型の雌端子３４Ｌとがそれぞれ後方から挿入され、ランス３５により一次係止されるとともに、各キャビティ３３Ｓ，３３Ｌの入口が防水ゴム栓３６により塞がれるようになっている。
【００１５】
端子収容部３１の回りには、大フード部３２の奥壁３２Ａの直前位置において、ゴム等の弾性材からなるシールリング５５が装着されるようになっている。このシールリング５５は、図９及び図１０にも示すように、端子収容部３１の外周と、小フード部１２の先端側の内周との間で弾縮されてシールすべくやや横長の方形の環状に形成され、その外周には図示２条のリップ５６が全周にわたって形成されている。
このシールリング５５の後端（図１０の右側）の外周における四つ角には、それぞれフランジ５８が一体形成され、このフランジ５８は、図５に示すように、厚肉でかつリップよりも背の高いほぼ扇形状をなしている。このフランジ５８は、詳しくは後記するように、雄雌のハウジング１０，３０の嵌合動作の終盤において、小フード部１２の先端縁と、大フード部３２の奥壁３２Ａとの間で挟圧されるようになっている。
【００１６】
端子収容部３１の前面には、同様に前壁を兼ねたフロント形式のリテーナ３８が装着され、それに伴い、両雌端子３４Ｓ，３４Ｌが二重係止されて収容されているとともに、シールリング５５の抜け止めが図られている。このリテーナ３８の表面が、雌ハウジング３０側の嵌合端面４０となる。この嵌合端面４０から端子収容部３１の内部にわたり、上記した雄ハウジング１０側のガイド板２１がほぼ緊密に挿入されるガイド溝４１が形成されている。
【００１７】
雌ハウジング３０の上面にはロックアーム４３が設けられている。このロックアーム４３は、前後方向に細長く、大フード部３２の奥壁３２Ａとほぼ一致する位置に設けられた支点４４を中心として、シーソー状に傾動可能となっている。大フード部３２の上面における幅方向の中央部には膨出部４５が形成され、さらにこの膨出部４５には、後端に開口した逃がし溝４６が形成され、ロックアーム４３の前端側が上方に傾動するのを許容するようになっている。このロックアーム４３の前端部は、雄ハウジング１０の両ガイド壁２２で案内されて真直に進入可能となっている。
【００１８】
ロックアーム４３には、その前端から少し入った位置から後方に向けて溝４７が切られており、その溝４７の前端が、雄ハウジング１０の係止部２３が係止可能な被係止面４８となっている。
ロックアーム４３の先端縁の下縁は、ガイド用にテーパ面５０とされている。ロックアーム４３の後端側の上面には、ロックの解除操作用の押圧部５１が形成され、端子収容部３１の後半部分の上面との間に、ロックアーム４３の後端側が下方に傾動することを許容するスペースが設けられている。
【００１９】
雌ハウジング３０における大フード部３２の下面には、この雌ハウジング３０をブラケット６０を介して相手部材（図示せず）に取り付けるための取付部６５が形成されている。
ブラケット６０は金属製であって、図１１及び図１２に示すように、所定幅の板状に形成され、先端寄りの位置に係止孔６１が開口されている。ブラケット６０の先端の両角にはＲ部６２が形成されており、また、先端縁から所定寸法入った位置で拡幅されて、ストッパ段部６３が形成されている。
【００２０】
上記した取付部６５には、図６並びに図１１，１２に示すように、ブラケット６０を緊密に挿通する挿通路６６が、両ハウジング１０，３０の嵌合方向と直交する方向に向けて形成されている。この挿通路６６は、正面から見た左側が入口６７であって、その口縁がガイド用にテーパ状に形成され、一方右側では、幅狭部６８が形成されて逆挿入が規制されている。
挿通路６６の底面にはロック片７０が形成されている。このロック片７０は、両側にスリット７１を入れることで入口６７側から反対側に向けた片持ち状に形成され、上下方向に撓み変形可能となっており、その上面には、ブラケット６０の係止孔６１に嵌まる突部７２が形成されている。なお、ロック片７０の先端には解除操作用の押圧部７３が形成され、この押圧部７３を押してロック片７０を下方に強制的に撓み変形させることで、突部７２を係止孔６１から抜いてロックを解除できるようになっている。ロック片７０の下方には、ロック片７０の過度の撓み変形を規制すべく規制部７４が、両側壁間に架橋されるようにして形成されている。
【００２１】
さて、上記した取付部６５には、図１１及び図１２に示すように、挿通路６６の入口６７側に寄った位置において、この挿通路６６を横切って貫通するようにして（両ハウジング１０，３０の嵌合方向に沿って）、検知溝７５が形成されている。この検知溝７５は、大フード部３２の内周面に開口し、その開口側は大フード部３２の奥壁３２Ａ付近にまで達している。
一方、雄ハウジング１０における小フード部１２の下面には、上記の検知溝７５に進入可能なリブ７７が立てられ、特にリブ７７の先端の下面には、挿通路６６の部分を横切る検知部７８が突設されている。
【００２２】
検知部７８は背の低い角柱状に形成され、進入方向の前面側の角には、ガイド用にＣ面７９が形成されている。そして、詳しくは後記するように、両ハウジング１０，３０間がロックアーム４３によりロックされたのち、シールリング５５のフランジ５８の復元弾力でロックアーム４３の被係止面４８と相手の係止部２３とが密着するまで両ハウジング１０，３０が離反した状態において、下面側における両ハウジング１０，３０の嵌合端面２０，４０同士の間隔が、上面側の嵌合端面２０，４０同士の間隔に等しくなって初めて、検知部７８が挿通路６６を横切って完全に通過する設定となっている（図１６参照）。以上により、本発明に係る別のロック手段８０が構成されている。
【００２３】
本実施形態は上記のような構造であって、続いてその作用を説明する。
図１の状態から雄雌のハウジング１０，３０を嵌合する。嵌合が進むと、図１３に示すように、ロックアーム４３の先端が相手の雄ハウジング１０の係止部２３のガイド面２４に突き当たり、ロックアーム４３は係止部２３に乗り上げるようにして前端側を上方へ傾動させた状態で押し込まれる。この間、雄ハウジング１０のリブ７７並びに検知部７８が、取付部６５の検知溝７５に進入して挿通路６６を横切る。嵌合動作が終盤に近づくと、雄ハウジング１０の小フード部１２の先端縁が、雌ハウジング３０の大フード部３２の奥壁３２Ａに接近し、両者間でシールリング５５の四つ角に設けられたフランジ５８が弾縮される。
【００２４】
両ハウジング１０，３０が所定量嵌合されると、小型の雄雌の端子金具１４Ｓ，３４Ｓの接点部同士、及び大型の雄雌の端子金具１４Ｌ，３４Ｌの接点同士が接続されるとともに、ロックアーム４３の被係止面４８が係止部２３の位置を通過するため、ロックアーム４３が元姿勢に復元して係止部２３が溝４７内に嵌合されてロックされる。その際、通常であれば、ロックアーム４３の被係止面４８と、係止部２３との間にはクリアランスが生ずるが、ロックアーム４３が復動するのと同時に、図１４に示すように、シールリング５５のフランジ５８の厚さ方向の復元弾力により両ハウジング１０，３０が互いに離反させられ、ロックアーム４３の被係止面４８が係止部２３に弾性的に押し付けられた状態となる。
ここで、上記のようにフランジ５８の復元弾力で両ハウジング１０，３０が離反したとき、上面側ではロックアーム４３が係止部２３に密着して離反が規制されるのに対して、下面側ではそのような規制がないことから、同図に示すように、下面側が開いたような状態となる場合があり得る。
【００２５】
一方、雄雌のハウジング１０，３０の嵌合操作が完了したら、相手部材（図示せず）に取り付けるべく、相手部材に設けられたブラケット６０を雌ハウジング３０の取付部６５の挿通路６６に相対的に差し込む。このとき、上記のように両ハウジング１０，３０の嵌合端面２０，４０間が下面側で開いていると、図１５に示すように、検知部７８が挿通路６６を完全に横切る手前に留まり、すなわち挿通路６６の内側に少し突出した状態にある。
そして、ブラケット６０が挿通路６６内に差し込まれると、先端の角のＲ部６２が検知部７８の後面を押すことで、図１５の矢線に示すように、検知部７８が強制的に挿通路６６を通過する位置まで移動させられ、それに伴い、フランジ５８を弾縮させつつ両ハウジング１０，３０の下面側が互いに引き寄せられる。
【００２６】
ブラケット６０はさらにロック片７０を撓み変形させつつ差し込まれ、ストッパ段部６３が入口６７の口縁に突き当たる所定位置まで差し込まれたら、図１６及び図１７に示すように、ロック片７０が復元変形して突部７２が係止孔６１に嵌まることで、取付部６５すなわち両ハウジング１０，３０がブラケット６０に対して取り付けられる。
一方、ブラケット６０の側縁６４が、挿通路６６を通過し切った検知部７８の後面に係止することによって、両ハウジング１０，３０の下面側が互いに引き寄せられた状態にロックされる。
【００２７】
以上により雄雌のハウジング１０，３０は、図１８に示すように、嵌合端面２０，４０同士の間隔が周方向の広範囲にわたってほぼ等しくなる嵌合状態に保持される。言い換えると、フランジ５８が４箇所でほぼ均一の弾縮量で挟圧された状態に保持され、両ハウジング１０，３０の嵌合方向に沿ったがたつきが全周にわたって阻止される。これにより、すべての雄雌の端子金具１４，３４間の接点部で摩耗することが防止され、長期にわたって接触圧等の良好な接触状態が保持される。
特に両ハウジング１０，３０の下面側の嵌合端面２０，４０間が開いていた場合に、それが自動的に補正されて保持されるから、操作性がよい。
【００２８】
なお、フランジ５８の復元弾力で両ハウジング１０，３０が離反して、ロックアーム４３が係止部２３に密着した場合に、両ハウジング１０，３０の下面側で嵌合端面２０，４０間の開きが生じなかった場合は、検知部７８が挿通路６６を通過し切った状態にあるから、ブラケット６０はそのまま挿通路６６に差し込まれる。そしてロックされた後は、検知部７８の後面に係止することで、下面側も上面側の同程度に閉じた状態に保持される。
【００２９】
＜第２実施形態＞
本発明の第２実施形態を図１９によって説明する。この第２実施形態では、第１実施形態に設けられた別のロック手段８０に相当する部分について、雄雌のハウジング１０，３０の嵌合検知を行う機能を付加した場合を例示している。
そのためこの第２実施形態では、両ハウジング１０，３０の嵌合が進んで、ロックアーム４３の被係止面４８が係止部２３の位置を通過するに至ったところで、図１９（Ｂ）の鎖線に示すように、検知部７８Ａが挿通路６６を横切って完全に通過する設定となっている。それに加え、検知部７８Ａの後面における少なくとも挿通路６６の入口６７側の角には、テーパ状のカム面８２が形成されている。
また、ブラケット６０Ａにおける検知部７８Ａの後面に係止する側の側縁６４には、検知部７８Ａが挿通路６６を完全に横切ったのち、挿通路６６側に戻ることを許容する逃がし凹部８４が切り欠き形成されている。この逃がし凹部８４の深さは、ロックアーム４３と係止部２３とが密着すべく両ハウジング１０，３０が所定寸法離反し、これに伴い、検知部７８Ａが挿通路６６内に同寸法戻れるものに設定されている。
【００３０】
本第２実施形態の作用は以下のようである。雄雌のハウジング１０，３０を嵌合する場合に、特に多極になると嵌合抵抗が増大することから、ロックアーム４３によるロックが掛かる前に嵌合操作を停止し、すなわち半嵌合状態に留め置かれる場合があり得る（図１３参照）。
その場合は本実施形態では、検知部７８Ａが挿通路６６を完全に横切る手前に留まり、すなわち挿通路６６の内側に突出した状態にあるから、ブラケット６０Ａが挿通路６６内に差し込まれた場合に、図１９（Ａ）に示すように、ブラケット６０Ａの先端が突出した検知部７８Ａの後面のカム面８２に一旦突き当たって挿入が規制され、半嵌合状態にあったことが検知される。
さらにブラケット６０Ａを押し込むと、カム面８２が押されることで、検知部７８Ａが強制的に挿通路６６を通過する位置まで移動させられ（図１９（Ｂ）の鎖線）、それに伴って両ハウジング１０，３０は、ロックアーム４３の被係止面４８が係止部２３の位置を通過するまで互いに引き寄せられ、ロックアーム４３が復動してロックが掛かる。
【００３１】
この間、シールリング５５のフランジ５８が厚さ方向に弾縮されている。一方、ブラケット６０Ａに形成された逃がし凹部８４が、図１９（Ｂ）に示すように、検知部７８Ａの後方に対応しているから、上記のロックアーム４３が復動するのと同時に、フランジ５８の厚さ方向の復元弾力により、検知部７８Ａが逃がし凹部８４内に戻りつつ両ハウジング１０，３０が互いに離反させられ、ロックアーム４３の被係止面４８が係止部２３に弾性的に押し付けられる。それとともに下面側では、検知部７８Ａの後面がブラケット６０Ａの逃がし凹部８４の奥縁に係止し、ロックされた状態となる。
以上により雄雌のハウジング１０，３０は、嵌合端面２０，４０同士の間隔が周方向の広範囲にわたってほぼ等しくなる嵌合状態に保持され（第１実施形態の図１８参照）、両ハウジング１０，３０の嵌合方向に沿ったがたつきが全周にわたって阻止される。
【００３２】
この第２実施形態では、雄雌のハウジング１０，３０が、ロックアーム４３によるロックが掛かっていない半嵌合状態に留め置かれた場合に、ブラケット６０Ａを挿通路６６に挿通する動作に伴ってこれを自動的に補正してロックアーム４３によるロックを掛け、その後は、両ハウジング１０，３０の嵌合方向に沿ったがたつきを全周にわたって阻止するように機能し、すべての雄雌の端子金具１４，３４間の接点部で摩耗することを防止して、長期にわたって接触圧等の良好な接触状態を保持することができる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記第１実施形態では、ハウジングの嵌合端面間が開いて検知部が挿通路内に入り込んでいる場合に、ブラケットの挿入に伴い検知部を自動的に挿通路を横切った位置に移動させ得るようにしたが、検知部が挿通路内に入り込んでいる場合にはブラケットが突き当たってそれ以上の挿通が規制されることでハウジングが開いていることを検知し、手動により開いた側を閉じたのち改めてブラケットを挿通してロックする構造としてもよく、そのようなものも本発明の技術的範囲に含まれる。
【００３４】
（２）同第１実施形態において、ブラケットの挿通に伴い検知部を自動的に挿通路を横切った位置に移動させ得るカム手段として、検知部側にＲ部若しくはＣ面を形成するようにしてもよい。
（３）シールリングのフランジは、全周に設けるようにしてもよい。
（４）ブラケットを挿通する取付部は、上記実施形態のようにロックアームを設けた側と同じハウジング側に設けてもよいし、逆のハウジング側に設けてもよい。
（５）ロックアームは、上記したシーソー状に変位するものに限らず、片持ち状に配されて基端側を中心に傾動変位するものにも、本発明は同様に適用することができる。
【図面の簡単な説明】
【図１】本発明の第１実施形態に係る雄雌のハウジングの嵌合前の状態を示す縦断面図
【図２】雄ハウジングの縦断面図
【図３】その正面図
【図４】その平面図
【図５】雌ハウジング側の分解斜視図
【図６】雌ハウジングの縦断面図
【図７】その正面図
【図８】その平面図
【図９】シールリングの正面図
【図１０】その縦断面図
【図１１】別のロック手段であるブラケットの取付部分を示す分解平断面図
【図１２】その分解縦断面図
【図１３】雄雌のハウジングの嵌合途中の状態を示す縦断面図
【図１４】ロックアームによるロックが掛かった直後の状態を示す縦断面図
【図１５】別のロック手段におけるブラケットの挿入動作を示す平断面図
【図１６】別のロック手段のロックが掛かった状態を示す平断面図
【図１７】その縦断面図
【図１８】最終取付状態を示す縦断面図
【図１９】第２実施形態に係るブラケットの取付部分の平断面図
【図２０】従来例の縦断面図
【符号の説明】
１０…雄ハウジング
１２…小フード部
１４Ｓ，１４Ｌ…雄端子
２０…嵌合端面
２３…係止部
３０…雌ハウジング
３２Ａ…（大フード部３２の）奥縁
３４Ｓ，３４Ｌ…雌端子
４０…嵌合端面
４３…ロックアーム
４８…被係止面
５５…シールリング
５８…フランジ
６０…ブラケット
６２…（ブラケット６０の）Ｒ部（カム手段）
６５…取付部
６６…挿通路
７０…ロック片
７５…検知溝
７８…検知部
８０…別のロック手段
６０Ａ…ブラケット
７８Ａ…検知部
８４…逃がし凹部
【図１】
2004014426.tif 000003
【図２】
2004014426.tif 000004
【図３】
2004014426.tif 000005
【図４】
2004014426.tif 000006
【図５】
2004014426.tif 000007
【図６】
2004014426.tif 000008
【図７】
2004014426.tif 000009
【図８】
2004014426.tif 000010
【図９】
2004014426.tif 000011
【図１０】
2004014426.tif 000012
【図１１】
2004014426.tif 000013
【図１２】
2004014426.tif 000014
【図１３】
2004014426.tif 000015
【図１４】
2004014426.tif 000016
【図１５】
2004014426.tif 000017
【図１６】
2004014426.tif 000018
【図１７】
2004014426.tif 000019
【図１８】
2004014426.tif 000020
【図１９】
2004014426.tif 000021
【図２０】
2004014426.tif 000022